(57)【要約】【課題】開閉体を閉じて遊技球が球貯留部へ流下している最中に引っ掛かって球止まりを生じる不具合を抑制することができ、遊技球の球貯留部への供給をスムーズに行うことができる遊技機を提供する。【解決手段】球流下路４３の下流開口４３ａに備えられた球流下規制機構５０は、複数の流下規制部材５２と、流下規制部材５２の出没動作を行う出没変換部５３とを備え、透明部材保持枠を開くと流下規制部材５２を下流開口４３ａへ突出して遊技球の流下を規制し、透明部材保持枠を閉じると流下規制部材５２を下流開口４３ａから引き抜いて遊技球の流下を許容し、球流下路４３の底部には球支持突条部４５を延設し、該球支持突条部４５の上面を球転動部４６とし、透明部材保持枠を閉じると球転動部４６と球貯留ユニット１３とが近接し、隣り合う球転動部４６の間に出没空間部４８を形成し、出没空間部４８を通して流下規制部材５２を下流開口４３ａに出没可能とした。【選択図】図４
2008194132.tif 000002
【特許請求の範囲】
【請求項１】
前面枠と、該前面枠に対して開閉可能な開閉体と、該開閉体に設けられた球貯留部と、前面枠側に設けられ、遊技球を流下可能な球流下路と、を備え、開閉体を閉じると球貯留部と球流下路とが連通して、遊技球を球流下路から球貯留部へ供給可能となる遊技機において、
前記球流下路の下流開口に球流下規制機構を備え、
該球流下規制機構は、櫛状に形成され、球流下路の下流開口に出没可能な複数の流下規制部材と、該流下規制部材の出没動作を行う出没変換部と、を備え、開閉体を開くと出没変換部が流下規制部材を下流開口へ突出して遊技球が球流下路から球貯留部へ流下することを規制し、開閉体を閉じると出没変換部が流下規制部材を下流開口から引き抜いて遊技球が球流下路から球貯留部へ流下することを許容し、
前記球流下路の底部には、球流下路の幅方向に並んだ複数の球支持突条部を球流下路の延設方向に沿って延設し、該球支持突条部の上面を下流開口側へ向けて下り傾斜させて遊技球が転動可能な球転動部とし、開閉体を閉じると球転動部の傾斜下端と球貯留部とが近接し、
隣り合う球転動部の間に出没空間部を形成し、該出没空間部を通して流下規制部材を下流開口に出没可能としたことを特徴とする遊技機。
【請求項２】
前記流下規制部材の先端部を尖らせて球列間挿入部を形成したことを特徴とする請求項１に記載の遊技機。
【発明の詳細な説明】
【技術分野】
【０００１】
本発明は、前面枠と、該前面枠に対して開閉可能な開閉体と、該開閉体に設けられた球貯留部と、前面枠側に設けられ、遊技球を流下可能な球流下路とを備え、開閉体を閉じると球貯留部と球流下路とが連通して、遊技球を球流下路から球貯留部へ供給可能となるパチンコ遊技機等の遊技機に関する。
【背景技術】
【０００２】
従来の遊技機、例えば、パチンコ遊技機においては、前面枠の前側に一側が軸着された開閉体としての貯留皿ユニット（球受皿）を備え、該貯留皿ユニットに遊技球を貯留可能な球貯留部（球受皿貯留部）を設けている。また、前面枠には、遊技球を流下可能な球流下路を備え、貯留皿ユニットを前面枠に対して閉じた状態で球流下路の下流開口（払出し口）と球貯留部とを連通して、遊技球を球流下路から球貯留部へ供給できるように構成されている。さらに、下流開口を開閉して遊技球の流下を規制可能な流下規制部材（遮蔽部材）を備え、貯留皿ユニットを開くと流下規制部材により下流開口を閉じて、球流下路から遊技球が落下する不具合を防ぐように構成されている（例えば、特許文献１参照）。
【特許文献１】特開２００３−２０５１５５号公報
【発明の開示】
【発明が解決しようとする課題】
【０００３】
ところで、上記特許文献に記載のパチンコ遊技機では、球流下路と球貯留部との間に、流下規制部材を出没するための空間部を形成している。このため、貯留皿ユニットを閉じて流下規制部材を空間部から引き抜くと、遊技球が空間部の縁に引っ掛かって球止まりを生じ易くなり、遊技球の球貯留部への供給が円滑に行われなくなる虞がある。
【０００４】
そこで、本発明は、上記の事情に鑑みてなされたものであり、その目的は、開閉体を閉じて遊技球が球貯留部へ流下している最中に引っ掛かって球止まりを生じる不具合を抑制することができ、遊技球の球貯留部への供給をスムーズに行うことができる遊技機を提供しようとするものである。
【課題を解決するための手段】
【０００５】
本発明は、上記目的を達成するために提案されたものであり、請求項１に記載のものは、前面枠と、該前面枠に対して開閉可能な開閉体と、該開閉体に設けられた球貯留部と、前面枠側に設けられ、遊技球を流下可能な球流下路と、を備え、開閉体を閉じると球貯留部と球流下路とが連通して、遊技球を球流下路から球貯留部へ供給可能となる遊技機において、
前記球流下路の下流開口に球流下規制機構を備え、
該球流下規制機構は、櫛状に形成され、球流下路の下流開口に出没可能な複数の流下規制部材と、該流下規制部材の出没動作を行う出没変換部と、を備え、開閉体を開くと出没変換部が流下規制部材を下流開口へ突出して遊技球が球流下路から球貯留部へ流下することを規制し、開閉体を閉じると出没変換部が流下規制部材を下流開口から引き抜いて遊技球が球流下路から球貯留部へ流下することを許容し、
前記球流下路の底部には、球流下路の幅方向に並んだ複数の球支持突条部を球流下路の延設方向に沿って延設し、該球支持突条部の上面を下流開口側へ向けて下り傾斜させて遊技球が転動可能な球転動部とし、開閉体を閉じると球転動部の傾斜下端と球貯留部とが近接し、
隣り合う球転動部の間に出没空間部を形成し、該出没空間部を通して流下規制部材を下流開口に出没可能としたことを特徴とする遊技機である。
【０００６】
請求項２に記載のものは、前記流下規制部材の先端部を尖らせて球列間挿入部を形成したことを特徴とする請求項１に記載の遊技機である。
【発明の効果】
【０００７】
本発明によれば、以下のような優れた効果を奏する。
請求項１に記載の発明によれば、球流下路の下流開口に球流下規制機構を備え、該球流下規制機構は、櫛状に形成され、球流下路の下流開口に出没可能な複数の流下規制部材と、該流下規制部材の出没動作を行う出没変換部とを備え、開閉体を開くと出没変換部が流下規制部材を下流開口へ突出して遊技球が球流下路から球貯留部へ流下することを規制し、開閉体を閉じると出没変換部が流下規制部材を下流開口から引き抜いて遊技球が球流下路から球貯留部へ流下することを許容し、球流下路の底部には、球流下路の幅方向に並んだ複数の球支持突条部を球流下路の延設方向に沿って延設し、該球支持突条部の上面を下流開口側へ向けて下り傾斜させて遊技球が転動可能な球転動部とし、開閉体を閉じると球転動部の傾斜下端と球貯留部とが近接し、隣り合う球転動部の間に出没空間部を形成し、該出没空間部を通して流下規制部材を下流開口に出没可能としたので、球貯留空間部と球流下路との間に流下規制部材を通す空間部が形成されたとしても、開閉体を閉じて遊技球が球貯留部へ流下している最中に、この遊技球が空間部の縁に引っ掛かる不具合をなくすことができる。したがって、球貯留部への遊技球の供給をスムーズに行うことができる。
【０００８】
請求項２に記載の発明によれば、流下規制部材の先端部を尖らせて球列間挿入部を形成したので、球流下路から球貯留部に亘って遊技球が列をなして停留していたとしても、これら遊技球を移動させながら流下規制部材を下流開口へ突出することができ、支障なく遊技球の流下を規制して開閉体を開状態へ変換する準備を行うことができる。
【発明を実施するための最良の形態】
【０００９】
以下、代表的な遊技機であるパチンコ遊技機を例に挙げて本発明の実施の最良の形態を図面に基づき説明する。図１はパチンコ遊技機の正面図である。
パチンコ遊技機１は、図１に示すように、外枠（機枠あるいは本体枠）２に前面枠（内枠）３を開閉可能に軸着し、この前面枠３のベースとなる前面枠本体４の上部には、前面に遊技領域を区画形成した遊技盤（図示せず）を収納可能とし、遊技盤の下方には変動表示ユニット７を着脱可能な状態で配置している（図２（ｂ）参照）。また、前面枠本体４の前面側には、一側（図１中、左側）が軸着された透明部材保持枠１１（本発明における開閉体に相当）を前後方向へ開閉（回動）可能に設け、該透明部材保持枠１１に透視可能な透明部材１２を保持し、透明部材保持枠１１の下部には、遊技球を貯留可能な球貯留ユニット１３（本発明における球貯留部に相当）を備えている。そして、透明部材保持枠１１を閉じると、遊技盤が透明部材保持枠１１に覆われるとともに、透明部材１２が遊技領域の前方に配置され、透明部材１２を通して遊技領域と変動表示ユニット７とを上下に並んだ状態で前方から視認できるように構成されている。さらに、前面枠本体４のうち閉状態の透明部材保持枠１１の下部に隣接する箇所には棚部１５を前面枠本体４の下部から前方へ突出して前後方向に厚肉な状態で配置している。そして、棚部１５の前面の一側（図１中、左側）には、遊技中に遊技者が操作するための遊技演出用ボタン１６を備え、他側（図１中、右側）には、遊技者が遊技球を発射するために操作する発射操作ユニット（発射操作ハンドル）１７を備えている。
【００１０】
前面枠本体４は、大きな矩形状の開口を上寄りに開設した合成樹脂製枠体であり、開口に遊技盤と変動表示ユニット７とを上下に並べて収納している。また、図２（ｂ）に示すように、変動表示ユニット７と棚部１５との間には表示ユニット載置部２０を棚部１５よりも後方の位置に配置し、該表示ユニット載置部２０を上段とし、棚部１５を下段とした所謂ひな壇形状を形成している。そして、前面枠本体４のうち変動表示ユニット７の後方に位置する箇所には、球排出装置（図示せず）から排出された遊技球を流下可能な球排出流路２４を備えている。さらに、該球排出流路２４の下流端を変動表示ユニット７と表示ユニット載置部２０との間から前方へ臨ませ、透明部材保持枠１１を閉じると球排出流路２４の下流端と球貯留ユニット１３とが前後に並んで連通し、遊技球を球排出流路２４から球貯留ユニット１３へ供給できるように構成されている。なお、球排出流路２４については、後で詳細に説明する。
【００１１】
また、表示ユニット載置部２０と棚部１５との間の起立壁部２７には、遊技球が１個ずつ通過可能な球送り開口２８を開設し、該球送り開口２８の後方には、球貯留ユニット１３に貯留された遊技球を遊技領域へ向けて発射可能な発射装置（図示せず）を配置している。そして、発射装置と球送り開口２８との間には球送り流路（図示せず）を配置し、球貯留ユニット１３から球送り開口２８に流下してきた遊技球が球送り流路を通過して発射装置へ到達するように構成されている。
【００１２】
球貯留ユニット１３は、図２（ａ）に示すように、前方へ膨出した球貯留皿３１を備え、該球貯留皿３１のうち一側寄りの内部（図２（ａ）中、左寄りの内部）を下方へ窪ませて球受入部３２を形成し、他側寄りの内部（図２（ａ）中、右寄りの内部）を球受入部３２よりも下方へ凹ませて球貯留空間部３３を形成している。そして、球貯留皿３１の前側には、球受入部３２と球貯留空間部３３とを連通する横長な流下案内路３４を設け、該流下案内路３４を球受入部３２から球貯留空間部３３へ向けて下り傾斜した姿勢に設定している。したがって、球受入部３２に遊技球を投入すると、この遊技球は流下案内路３４を流下して球貯留空間部３３へ到達して貯留されるように構成されている。また、球貯留空間部３３の後部には、球排出流路２４に連通可能な排出連通口３５を開設している。
【００１３】
さらに、球貯留皿３１の後側には、球貯留空間部３３から球受入部３２の下方へ向けて下り傾斜した球整列路３７を設け、該球整列路３７の下流部を上流部よりも絞り込んで遊技球が１個ずつ流下可能な流路幅に設定し、球整列路３７内の遊技球を横一列に整列しながら流下させるように構成されている。また、球整列路３７の下流端には、後方へ下り傾斜する球導出路（図示せず）を連通し、該球導出路の後端部を透明部材保持枠１１の後面側に開放している。そして、透明部材保持枠１１を閉じると、球導出路の後端部と球送り開口２８とを前後に重ねる状態で連通し、球導出路、球送り開口２８および球送り流路を介して、球貯留皿３１内の遊技球を発射装置へ供給することができるように構成されている。
【００１４】
次に、球排出流路２４について説明する。
球排出流路２４は、図３（ａ）に示すように、当該球排出流路２４の上流側に配置され、球排出装置の下端に接続流路（図示せず）を介して連通する逆Ｌ字状の連通路４１と、該連通路４１の下方に横方向へ下り傾斜した状態で配置され、球排出流路２４内に遊技球を貯留可能とする横長な排出貯留部４２と、該排出貯留部４２の傾斜下端に連通し、前方の球貯留ユニット１３側へ向けて下り傾斜した状態で配置された球流下路４３とを備えて構成されている。そして、球流下路４３の底部には、球流下路４３の幅方向に並んだ複数（本実施形態では４本）の球支持突条部４５を前後方向、言い換えると球流下路４３の延設方向に沿って延設し、隣り合う球支持突条部４５の間隔を遊技球の直径よりも狭い寸法に設定している。また、球支持突条部４５の細長い短冊状の上面を前方、言い換えると球流下路４３の下流開口４３ａ側へ向けて下り傾斜させて遊技球が転動可能な球転動部４６とし、透明部材保持枠１１を閉じた状態で球転動部４６の傾斜下端と球貯留ユニット１３の排出連通口３５とが近接し、球貯留空間部３３の底部が球転動部４６よりも僅かに低い位置で球転動部４６の前方に配置されるように構成されている（図４（ａ）参照）。さらに、隣り合う球転動部４６の傾斜下端の間を上下方向へ貫通させて出没空間部４８を形成し、該出没空間部４８に後述する球流下規制機構５０の一部を挿通できるように構成されている。
【００１５】
また、球流下路４３の下流開口４３ａには、球流下規制機構５０を備えている。球流下規制機構５０は、図３（ａ）および（ｂ）に示すように、櫛状に形成され、下流開口４３ａに出没可能な複数（本実施形態では３本）の流下規制部材５２と、該流下規制部材５２の出没動作を行う出没変換部５３とを備え、流下規制部材５２を出没変換部５３の前方に配置している。そして、流下規制部材５２を下流開口４３ａへ突出して遊技球が球流下路４３から球貯留ユニット１３へ流下することを規制する流下規制状態（図４（ｂ）参照）と、流下規制部材５２を下流開口４３ａから引き抜いて遊技球が球流下路４３から球貯留ユニット１３へ流下することを許容する流下許容状態（図４（ａ）参照）とに変換できるように構成されている。
【００１６】
流下規制部材５２は、下流開口４３の幅方向に沿って並べられた縦長な櫛歯状の部材であり、横向き平板状の規制ベース５６の前後方向の一端（前端）から上方へ向けて延設されている。また、当該流下規制部材５２の幅（左右幅）を出没空間部４８よりも狭く設定するとともに、隣り合う流下規制部材５２の間隔を遊技球よりも狭く、且つ球支持突条部４５の幅よりも広く設定し、流下規制状態では出没空間部４８を通って下流開口４３ａへ突出し、流下許容状態では下流開口４３ａおよび出没空間部４８から引き抜かれて球転動部４６よりも下方へ配置するように構成されている。さらに、流下規制部材５２の上端部を尖らせて球列間挿入部５８を形成し、該球列間挿入部５８から流下規制部材５２を下流開口４３ａへ挿入できるように構成されている。そして、規制ベース５６の前後方向の他端（後端）には、出没変換部５３へ接続するための規制接続部５９を下方へ向けて延設し、該規制接続部５９を出没変換部５３の内部に配置している。なお、規制接続部５９と流下規制部材５２とを接続する規制ベース５６は、出没変換部５３の内部から外部へ延設する状態で配置されている。
【００１７】
出没変換部５３は、図３（ｂ）に示すように、前側が蓋６１ａで閉成された収容ケース６１を備え、該収容ケース６１の内部に、流下規制部材５２を上下動するための２本の回動アーム６３（上側の第１アーム６３ａおよび下側の第２アーム６３ｂ）と、該回動アーム６３の回動を規制したり許容したりする回動規制機構６４とを収容して構成されている。第１アーム６３ａおよび第２アーム６３ｂは、互いに平行な横向き状態で配置されており、一端（図５（ａ）中、右端）を収容ケース６１内に軸着して上下方向へ回動可能とし、他端を規制接続部５９へ軸着している。また、上側の第１アーム６３ａの中間部にはコイルばね等の付勢部材６６の一端を係止し、該付勢部材６６の他端を収容ケース６１のうち第１アーム６３ａよりも上方の位置に係止して、付勢部材６６の付勢力により第１アーム６３ａとともに規制接続部５９、規制ベース５６、流下規制部材５２を引き上げる方向へ常時付勢している。そして、第１アーム６３ａのうち収容ケース６１に軸着した軸着部を挟んで流下規制部材５２とは反対側には、回動規制機構６４の一部を係合可能な係合受部６８を設けている。
【００１８】
回動規制機構６４は、上下方向へ移動可能な係合ロッド７０と、透明部材保持枠１１に当接可能であり、前後方向へ移動可能な当接ロッド７１と、Ｌ字状に屈曲し、係合ロッド７０と当接ロッド７１とを連結する連結部材７２とを備えて構成されている。また、係合ロッド７０には係合突起７３を第１アーム６３ａ側（図５（ａ）中、左側）へ向けて突設し、該係合突起７３を第１アーム６３ａの係合受部６８へ係合している。そして、当接ロッド７１の先端部（前端部）に当接ヘッド７１ａを備え、当接ロッド７１を前後方向へ移動して当接ヘッド７１ａを蓋６１ａに開設された出没開口６１ｂから出没可能としている。さらに、連結部材７２の屈曲部を収容ケース６１の側部に軸着して連結部材７２を上下方向へ回動自在とし、屈曲部から上方へ伸びた腕の先端部を当接ロッド７１の後端部へ軸着するとともに、屈曲部から前方へ伸びた腕の先端部を係合ロッド７０の上端部に軸着している（図５（ｂ），（ｄ），（ｆ）参照）。また、当接ヘッド７１ａの内部には磁石等の吸着部材（図示せず）を備え、透明部材保持枠１１の裏面のうち当接ヘッド７１ａに対向する鉄製プレート等の被吸着部（図示せず）に当接ヘッド７１ａを吸着できるように構成されている。
【００１９】
このような構成の球流下規制機構５０を備えて、透明部材保持枠１１を前面枠３に対して閉じると、図４（ａ）に示すように、球転動部４６と球貯留ユニット１３の排出連通口３５とが近接または当接して球貯留空間部３３の底部が球転動部４６よりも僅かに低い位置で球転動部４６の前方に配置され、透明部材保持枠１１が回動規制機構６４の出没変換部５３の当接ヘッド７１ａを後方へ押圧し、透明部材保持枠１１の被吸着部に当接ヘッド７１ａを吸着した状態となる。すると、出没変換部５３は、図５（ｃ）および（ｄ）に示すように、当接ヘッド７１ａを後方（図５（ｄ）中、矢印Ａで示す方向）へ移動するとともに連結部材７２を上方（図５（ｄ）中、矢印Ｂで示す方向）へ回動して、係合ロッド７０を上方（図５（ｃ），（ｄ）中、矢印Ｃで示す方向）へ移動する。さらに、上昇した係合ロッド７０の係合突起７３により係合受部６８（詳しくは係合受部６８の上縁部）を押し上げて、第１アーム６３ａを付勢部材６６に付勢力に抗して下方（図５（ｃ）中、矢印Ｄで示す方向）へ回動する。すると、第１アーム６３ａの先端に接続された流下規制部材５２を下方へ移動し、この流下規制部材５２を下流開口４３ａから出没空間部４８を通って下方へ引き抜く（図４（ａ）参照）。この結果、球流下規制機構５０は、流下許容状態へ変換し、遊技球が球流下路４３から球貯留ユニット１３へ流下することを許容する。この許容状態で遊技球を流下すれば、球転動部４６と球貯留ユニット１３の排出連通口３５とを近接または当接させ、隣り合う球転動部４６の間に出没空間部４８を形成しているので、球貯留ユニット１３と球流下路４３との間に出没空間部４８を配置したとしても、透明部材保持枠１１を閉じて遊技球が球貯留ユニット１３へ流下している最中に出没空間部４８の縁に引っ掛かって球止まりを生じる不具合を抑制することができる。したがって、遊技球の球貯留ユニット１３への供給をスムーズに行うことができる。
【００２０】
また、透明部材保持枠１１を十分に閉じることで第１アーム６３ａをさらに下方へ回動すると、この回動により流下規制部材５２が下死点に到達するとともに、係合突起７３が係合受部６８の上縁部を押し退けて上縁部の側部に当接する（図５（ｅ），（ｆ）参照）。すると、回動規制機構６４が第１アーム６３ａを下がった状態でロックし、付勢部材６６の付勢力により第１アーム６３ａが上方へ回動すること、ひいては流下規制部材５２が上昇して球流下規制機構５０が流下許容状態から流下規制状態へ変換することを規制する。
【００２１】
一方、透明部材保持枠１１を前面枠３に対して開くと、図４（ｂ）に示すように、球転動部４６と球貯留ユニット１３の排出連通口３５とが離れる。そして、球転動部４６と排出連通口３５とが離れた直後、言い換えると、この離間距離が遊技球の直径よりも広くなる前に、当接ヘッド７１ａが被吸着部に吸着した状態で収容ケース６１から引き出されて透明部材保持枠１１とともに前方へ移動する。すると、出没変換部５３は、当接ヘッド７１ａを前方（図５（ｄ）中、矢印Ｅで示す方向）へ移動するとともに連結部材７２を下方（図５（ｄ）中、矢印Ｆで示す方向）へ回動して係合ロッド７０を下方（図５（ｃ），（ｄ）中、矢印Ｇで示す方向）へ移動する。そして、下降した係合ロッド７０の係合突起７３を係合受部６８の上縁部から下方へ外して第１アーム６３ａの回動規制を解除する（図５（ｃ），（ｄ）参照）。第１アーム６３ａの回動規制が解除されると、第１アーム６３ａが付勢部材６６の付勢力により上方（図５（ｃ）中、矢印Ｈで示す方向）へ迅速に回動し、この回動に伴って流下規制部材５２を上昇させ、出没空間部４８を通してこの流下規制部材５２を下流開口４３ａへ突出する（図４（ｂ）および図５（ａ），（ｂ）参照）。この結果、球流下規制機構５０は、流下規制状態へ変換し、球転動部４６と排出連通口３５との間隔が遊技球の直径よりも広くなる前に（すなわち透明部材保持枠１１と前面枠３との間から遊技球が落下可能となる前に）遊技球が球流下路４３から球貯留ユニット１３へ向けて流下することを規制する。
【００２２】
このとき、流下規制部材５２は、その先端部を尖らせて球列間挿入部５８を形成しているので、球流下路４３から球貯留ユニット１３に亘って遊技球が列をなして停留していたとしても、これら遊技球を移動させながら下流開口４３ａへ突出することができる。したがって、支障なく遊技球の流下を規制して透明部材保持枠１１を開状態へ変換する準備を行うことができる。
【００２３】
さらに、透明部材保持枠１１を開くと、透明部材保持枠１１を前方へ引く力が吸着部材の吸着力よりも大きくなり、当接ヘッド７１ａが透明部材保持枠１１から離れる。したがって、透明部材保持枠１１を大きく開いて前面枠３の前面を開放することができる。
【００２４】
ところで、上記実施形態では、出没変換部５３を複数の回動アーム６３や複数のロッド７０，７１等を備えた機構により構成したが、本発明はこれに限定されない。要は、透明部材保持枠１１を開くと流下規制部材５２を下流開口４３ａへ突出し、透明部材保持枠１１を閉じると流下規制部材５２を下流開口４３ａから引き抜くことができるものであれば、どのようなものでもよい。
【００２５】
また、上記実施形態では、球貯留部を備えた開閉体として球貯留ユニット１３を備えた透明部材保持枠１１を例示し、球貯留部に連通可能な球流下路４３として球排出流路２４の一部を例示したが、本発明はこれに限定されない。本発明における開閉体は、前面枠３に対して開閉可能であり、且つ遊技球を貯留可能であればどのようなものでもよく、例えば、遊技球を貯留可能な球貯留皿を備え、透明部材保持枠１１とは別個に前面枠３へ軸着された球貯留ユニットであってもよい。さらに、本発明における球流下路は、前面枠３に配置され、遊技球を球貯留部へ供給可能なものであればどのようなものでもよい。
【００２６】
そして、上記実施形態では、代表的な遊技機であるパチンコ遊技機を例にして説明したが、本発明はこれに限らず、前面枠と、該前面枠に対して開閉可能な開閉体と、該開閉体に設けられた球貯留部と、前面枠側に設けられ、遊技球を流下可能な球流下路とを備え、開閉体を閉じると球貯留部と球流下路とが連通して、遊技球を球流下路から球貯留部へ供給可能となる遊技機であればどのような遊技機でもよい。例えば、アレンジボール式遊技機、雀球式遊技機等の遊技機であってもよい。
【００２７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００２８】
【図１】パチンコ遊技機の正面図である。
【図２】（ａ）は球貯留ユニット周辺の拡大斜視図、（ｂ）は透明部材保持枠を開放した状態のパチンコ遊技機の下部周辺の拡大斜視図である。
【図３】（ａ）は球排出流路の斜視図、（ｂ）は球流下規制機構の分解斜視図である。
【図４】（ａ）は球流下規制機構を流下許容状態に変換した球排出流路の断面図、（ｂ）は球流下規制機構を流下規制状態に変換した球排出流路の断面図である。
【図５】球流下規制機構の状態を示す概略図であり、（ａ）は流下規制状態の正面図、（ｂ）は（ａ）の側面図、（ｃ）は流下規制状態と流下許容状態との中間状態の正面図、（ｄ）は（ｃ）の側面図、（ｅ）は流下許容状態の正面図、（ｆ）は（ｅ）の側面図である。
【符号の説明】
【００２９】
１  パチンコ遊技機
３  前面枠
１１  透明部材保持枠
１３  球貯留ユニット
２４  球排出流路
３１  球貯留皿
３３  球貯留空間部
３５  排出連通口
４１  連通路
４２  排出貯留部
４３  球流下路
４５  球支持突条部
４６  球転動部
４８  出没空間部
５０  流下規制機構
５２  流下規制部材
５３  出没変換部
５８  球列間挿入部
６３  回動アーム
６３ａ  第１アーム
６３ｂ  第２アーム
６４  回動規制機構
６６  付勢部材
６８  係合受部
７０  係合ロッド
７１  当接ロッド
７２  連結部材
７３  係合突起
【図１】
2008194132.tif 000003
【図２】
2008194132.tif 000004
【図３】
2008194132.tif 000005
【図４】
2008194132.tif 000006
【図５】
2008194132.tif 000007